(57)【特許請求の範囲】
【請求項１】
データの送信先になり得る送信先候補に付された送信先名を表記したリストを表示する表示部と、
前記表示部に対して設けられ、ユーザーがタッチしている複数のタッチ位置を検知するためのタッチパネル部と、を備え、
前記表示部は、予め定められた数を超える送信先候補が存在する場合、前記リストに表記する送信先名の範囲を絞り込むためのブロック画像であり、前記リストに表記可能な送信先名の範囲を示した前記ブロック画像を送信先名の頭文字の種類毎に分類して複数表示し、前記ブロック画像を表示するときは、前記ブロック画像を配したダイアログボックスを前記リストに重ねて表示し、
前記タッチパネル部は、前記ブロック画像の表示位置において２点をタッチする操作である範囲絞り込み操作が行われることにより、タッチされた２点で挟まれる範囲に含まれる送信先名を前記リストに表記する送信先名として指定する旨を受け付け、
前記表示部は、前記範囲絞り込み操作によって前記リストに表記する送信先名が指定されると、前記ブロック画像を配したダイアログボックスを非表示にして、指定された送信先名を前記リストに表記し、
前記表示部は、前記送信先候補が前記予め定められた数を超えない場合には、前記ブロック画像は表示せず、前記送信先候補に付された全ての送信先名を前記リストに表記することを特徴とする表示入力装置。
【請求項２】
前記表示部は、複数の前記ブロック画像のそれぞれに、対応する送信先名の頭文字を視覚的に識別可能に示す識別情報を付加することを特徴とする請求項１に記載の表示入力装置。
【請求項３】
前記表示部は、複数の前記ブロック画像のそれぞれの表示サイズを、対応する送信先名の数が多いほど大きくし、対応する送信先名の数が少ないほど小さくすることを特徴とする請求項１または２に記載の表示入力装置。
【請求項４】
前記表示部は、所定方向に連続して延びる単一の表示領域内に複数の前記ブロック画像を前記所定方向に一列に並べて表示し、複数の前記ブロック画像と共に、指定された送信先名を前記リストに表記する旨を受け付けるための確定キーを表示するとともに、前記確定キーの表示位置をタッチする操作である確定操作が前記タッチパネル部に対して行われることで、指定された送信先名を前記リストに表記し、
前記タッチパネル部は、前記確定操作が行われるまで、前記範囲絞り込み操作を何回でも受け付け、
前記タッチパネル部は、複数の前記ブロック画像のうち、第１文字を頭文字とする第１送信先名に対応する前記ブロック画像に対して前記範囲絞り込み操作が行われた後、前記確定操作が行われるまでに、前記第１送信先名に対応する前記ブロック画像とは隣接しない前記ブロック画像であり、前記第１文字とは異なる第２文字を頭文字とする第２送信先名に対応する前記ブロック画像に対して前記範囲絞り込み操作が行われると、前記第１送信先名および前記第２送信先名を前記リストに表記する送信先名として指定する旨を受け付け、
前記表示部は、前記第１送信先名および前記第２送信先名が前記リストに表記する送信先名として指定されると、前記第１送信先名を表記した第１リストと前記第２送信先名を表記した第２リストとを同一画面内に別々に表示することを特徴とする請求項１〜３のいずれかに記載の表示入力装置。
【請求項５】
請求項１〜４のいずれかに記載の表示入力装置と、
データの送信先になり得る送信先候補と通信し、送信先候補の情報を取得する通信部と、を備え、
前記表示部は、前記通信部が取得した情報に基づき、送信先候補に付された送信先名を表記した前記リストを表示することを特徴とする画像形成装置。
【発明の詳細な説明】
【技術分野】
【０００１】
本発明は、表示入力装置および画像形成装置に関する。
【背景技術】
【０００２】
従来、送信機能（データを送信する機能）を搭載した画像形成装置が知られている。このような画像形成装置では、たとえば、ネットワークを介して、パーソナルコンピューターやサーバーなどと通信可能になっている。これにより、送信機能を搭載した画像形成装置を使用するユーザーは、スキャンによって得られた画像データ（あるいは、画像形成装置に蓄積されていた画像データ）を送信することができる（たとえば、特許文献１参照）。
【０００３】
送信機能を搭載した画像形成装置には、送信先の指定をユーザーから受け付けるための表示入力装置が設けられるのが一般的である。この表示入力装置は、送信先の指定をユーザーから受け付けるとき、送信先となり得る送信先候補に付された送信先名を表記したリストを表示する。そして、ユーザーは、リストに表記された送信先名から所望の送信先に付された送信先名を選択し、選択した送信先名に付された送信先を実際の送信先として確定する操作を行う。
【先行技術文献】
【特許文献】
【０００４】
【特許文献１】特開２００５−８４９８１号公報
【発明の概要】
【発明が解決しようとする課題】
【０００５】
大規模なオフィスに設置される画像形成装置には、送信先となり得る送信先候補が数多く接続される場合がある。この場合、画像形成装置に設けられた表示入力装置は、送信先の指定をユーザーから受け付けるとき、数多くの送信先候補にそれぞれ付された送信先名の全てをリストアップして表示する。なお、一画面に表示可能な送信先名の数には限りがあるので、たとえば、送信先名が表記されたリストの表示ページの切り替えが可能となっている。
【０００６】
このように、数多くの送信先名がリストアップされた場合には、ユーザーからすると、所望の送信先に付された送信先名を見つけるまでに時間がかかるとともに、場合によってはリストの表示ページを何回も切り替えなければならないので、利便性が悪い。また、通常では、リストアップ可能な送信先名の数が決まっているので、ユーザーが所望する送信先の送信先名そのものがリストに表記されないこともある。
【０００７】
本発明は、上記の課題を解決するためになされたものであり、データ送信先の検索作業を行うユーザーの利便性を向上させることが可能な表示入力装置および画像形成装置を提供することを目的とする。
【課題を解決するための手段】
【０００８】
上記の目的を達成するために、本発明の表示入力装置は、データの送信先になり得る送信先候補に付された送信先名を表記したリストを表示する表示部と、表示部に対して設けられ、ユーザーがタッチしている複数のタッチ位置を検知するためのタッチパネル部と、を備えている。そして、表示部は、予め定められた数を超える送信先候補が存在する場合、リストに表記する送信先名の範囲を絞り込むためのブロック画像であり、リストに表記可能な送信先名の範囲を示したブロック画像を送信先名の頭文字の種類毎に分類して複数表示する。また、タッチパネル部は、ブロック画像の表示位置において２点をタッチする操作である範囲絞り込み操作が行われることにより、タッチされた２点で挟まれる範囲に含まれる送信先名をリストに表記する送信先名として指定する旨を受け付ける。
【０００９】
本発明の構成では、上記のように、表示部は、予め定められた数を超える送信先候補が存在する場合、リストに表記する送信先名の範囲を絞り込むためのブロック画像であり、リストに表記可能な送信先名の範囲を示したブロック画像を送信先名の頭文字の種類毎に分類して複数表示する。また、タッチパネル部は、ブロック画像の表示位置において２点をタッチする操作である範囲絞り込み操作が行われることにより、タッチされた２点で挟まれる範囲に含まれる送信先名をリストに表記する送信先名として指定する旨を受け付ける。これにより、ユーザーが所望する送信先に付された送信先名と頭文字が同じ送信先名だけをリストに表記することができる。したがって、ユーザーからすると、所望の送信先に付された送信先名をリストから選択して所望の送信先にデータを送信するときに、所望の送信先に付された送信先名を見つけ易くなり、利便性が良い。すなわち、データ送信先の検索作業を行うユーザーの利便性が向上する。
【００１０】
また、ユーザーからすると、予め定められた数を超える送信先候補が存在する場合、すなわち、リストに表記される送信先名が多くなることに起因して所望の送信先に付された送信先名を見つけるのに時間がかかってしまう恐れがある場合に、自動的に、リストに表記する送信先名の範囲を絞り込むことが可能な状態になる（リストに表記する送信先名の範囲を絞り込むためのブロック画像が表示される）ので、利便性が良い。そして、リストに表記する送信先名の範囲を絞り込むことが可能な状態になった後は、ブロック画像の表示位置において２点をタッチするという簡単な操作でリストに表記する送信先名の範囲を絞り込むことができるので、操作性が良い。また、ブロック画像はリストに表記可能な送信先名の範囲を示しており、そのブロック画像の表示位置においてタッチした２点で挟まれる範囲の大きさでリストに表記する送信先名の範囲が決まるので、リストに表記する送信先名の範囲を絞り込むための操作が直感的で分かり易い。さらに、ブロック画像は送信先名の頭文字の種類毎に複数に分類されているので、容易に、所望の送信先に付された送信先名が含まれるように、リストに表記する送信先名の範囲を絞り込むことができる。また、ブロック画像が送信先名の頭文字の種類毎に複数に分類されていれば、互いに異なる文字を頭文字とする２種類以上の送信先名をリストアップするときに便利である。
【００１１】
上記の構成において、好ましくは、表示部は、複数のブロック画像のそれぞれに、対応する送信先名の頭文字を視覚的に識別可能に示す識別情報を付加する。これにより、ユーザーからすると、複数のブロック画像のうちいずれの表示位置において範囲絞り込み操作を行えばよいかが分かり易くなるので、利便性が良い。
【００１２】
上記の構成において、好ましくは、表示部は、複数のブロック画像のそれぞれの表示サイズを、対応する送信先名の数が多いほど大きくし、対応する送信先名の数が少ないほど小さくする。これにより、ユーザーからすると、リストに表記可能な送信先名の数を送信先名の頭文字の種類毎に認識することができるので、利便性が良い。
【００１３】
上記の構成において、好ましくは、表示部は、所定方向に連続して延びる単一の表示領域内に複数のブロック画像を所定方向に一列に並べて表示する。これにより、ユーザーからすると、範囲絞り込み操作時にブロック画像の表示位置の２点をタッチする（タッチした２点で挟まれる範囲に含まれる送信先名をリストに表記する送信先名として指定する）とき、タッチした２点で挟まれる範囲内に複数のブロック画像を含めることができる、すなわち、互いに異なる文字を頭文字とする２種類以上の送信先名をリストに表記する送信先名として一括して指定することができるので、利便性が良い。
【００１４】
上記の構成において、好ましくは、表示部は、複数のブロック画像と共に、指定された送信先名をリストに表記する旨を受け付けるための確定キーを表示するとともに、確定キーの表示位置をタッチする操作である確定操作がタッチパネル部に対して行われることで、指定された送信先名をリストに表記し、タッチパネル部は、確定操作が行われるまで、範囲絞り込み操作を何回でも受け付ける。これにより、ユーザーからすると、確定操作を行う前であれば、範囲絞り込み操作を何回でも行うことができるので、利便性が良い。
【００１５】
上記の構成において、好ましくは、表示部は、第１文字を頭文字とする第１送信先名および第１文字とは異なる第２文字を頭文字とする第２送信先名がリストに表記する送信先名として指定された場合、第１送信先名を表記した第１リストと第２送信先名を表記した第２リストとを別々に表示する。このように、第１リストおよび第２リストが別々に表示された場合には、ユーザーからすると、所望の送信先に付された送信先名を見つけ易い。
【００１６】
本発明の画像形成装置は、上記の表示入力装置と、データの送信先になり得る送信先候補と通信し、送信先候補の情報（送信先名やパスなど）を取得する通信部と、を備えている。そして、表示部は、通信部が取得した情報に基づき、送信先候補に付された送信先名を表記したリストを表示する。このような画像形成装置では、データ送信先の検索作業を行うユーザーの利便性を向上させることが可能となる。
【発明の効果】
【００１７】
以上のように、本発明によれば、データ送信先の検索作業を行うユーザーの利便性を向上させることが可能な表示入力装置および画像形成装置を得ることができる。
【図面の簡単な説明】
【００１８】
【図１】本発明の一実施形態による表示入力装置を備えた画像形成装置の概略図
【図２】図１に示した画像形成装置の表示入力装置の詳細図
【図３】図１に示した画像形成装置のハードウェア構成を示したブロック図
【図４】図１に示した画像形成装置の表示入力装置に表示される画面（メインメニュー画面）の一例を示した図
【図５】図１に示した画像形成装置の表示入力装置に表示される画面（コピー機能の設定画面）の一例を示した図
【図６】図１に示した画像形成装置の表示入力装置に表示される画面（送信先を設定するときの画面）の一例を示した図
【図７】図１に示した画像形成装置の表示入力装置に表示される画面（送信先を設定するときの画面）の一例を示した図
【図８】図１に示した画像形成装置の表示入力装置に表示される画面（送信先を設定するときの画面）の一例を示した図
【図９】図１に示した画像形成装置の表示入力装置に表示される画面（リストに表記する送信先名の範囲を絞り込むためのブロック画像）の一例を示した図
【図１０】図１に示した画像形成装置の表示入力装置においてリストに表記する送信先名の範囲を絞り込むときの操作およびそのときに表示される画面を説明するための図
【図１１】図１に示した画像形成装置の表示入力装置においてリストに表記する送信先名の範囲を絞り込むときの操作およびそのときに表示される画面を説明するための図
【図１２】図１に示した画像形成装置の表示入力装置に表示される画面（指定された送信先名を表記したリスト）の一例を示した図
【図１３】図１に示した画像形成装置の表示入力装置においてリストに表記する送信先名の範囲を絞り込むときの操作およびそのときに表示される画面を説明するための図
【図１４】図１に示した画像形成装置の表示入力装置に表示される画面（指定された送信先名を表記したリスト）の一例を示した図
【図１５】図１に示した画像形成装置の表示入力装置においてリストに表記する送信先名の範囲を絞り込むときの操作およびそのときに表示される画面を説明するための図
【図１６】図１に示した画像形成装置の表示入力装置においてリストに表記する送信先名の範囲を絞り込むときの操作およびそのときに表示される画面を説明するための図
【図１７】図１に示した画像形成装置の表示入力装置においてリストに表記する送信先名を範囲を絞り込むときの動作を説明するためのフローチャート
【発明を実施するための形態】
【００１９】
（画像形成装置の全体構成）
以下、コピー機能、送信（スキャン）機能、ファックス機能およびボックス機能などの複数種の機能の実行が可能な画像形成装置（複合機）を例にとって説明する。なお、ボックス機能というのは、予め登録されたボックスと称される保存領域（たとえば、後述する記憶部１１３に設けられたフォルダ）に画像データを蓄積したり、蓄積した画像データに基づく印刷を行ったりする機能である。
【００２０】
図１に示すように、本実施形態の画像形成装置１００は、操作パネル１０１（「表示入力装置」に相当）、原稿搬送部１０２Ａ、画像読取部１０２Ｂ、給紙部１０３、用紙搬送部１０４、画像形成部１０５、定着部１０６および後処理部１０７などを備える。
【００２１】
操作パネル１０１は、たとえば、装置正面側に配置される。この操作パネル１０１は、図２に示すように、表示面上にタッチパネル部１１が設けられた液晶表示部１２（「表示部」に相当）を有する。タッチパネル部１１は、ユーザーがタッチした複数のタッチ位置を同時に検知可能なマルチタッチパネルである。液晶表示部１２は、ユーザーから入力操作を受け付けるためのソフトキーやメッセージなどを配した画面を表示する。なお、液晶表示部１２に表示される画面については、後に詳細に説明する。そして、液晶表示部１２の表示面を覆うタッチパネル部１１は、ユーザーが指定したソフトキー（タッチパネル部１１を介してユーザーがタッチしたソフトキー）を検知するために設けられている。また、操作パネル１０１には、ハードキーとして、数値入力を受け付けるためのテンキー１３や、機能実行の開始指示を受け付けるためのスタートキー１４などが設けられている。
【００２２】
図１に戻って、原稿搬送部１０２Ａは、画像読取部１０２Ｂの装置背面側に設けられた回転軸（図示せず）を支点として開閉可能に取り付けられている。この原稿搬送部１０２Ａは、原稿セットトレイ２１にセットされた原稿Ｄを引き出し、搬送読取用コンタクトガラス２０ａの上方に送って原稿排出トレイ２２に排出する。また、原稿搬送部１０２Ａは、載置読取用コンタクトガラス２０ｂに載置された原稿Ｄを押える機能も有する。
【００２３】
画像読取部１０２Ｂは、原稿Ｄを読み取って画像データを生成する。この画像読取部１０２Ｂには、図示しないが、露光ランプ、ミラー、レンズおよびイメージセンサーなどの光学系部材が設けられている。そして、画像読取部１０２Ｂは、搬送読取用コンタクトガラス２０ａを通過する原稿Ｄまたは載置読取用コンタクトガラス２０ｂに載置される原稿Ｄに光を照射し、その原稿Ｄからの反射光を受けたイメージセンサーの出力値をＡ／Ｄ変換することによって、画像データを生成する。これにより、画像読取部１０２Ｂによる原稿Ｄの読み取り動作（スキャン）によって得られた画像データに基づき印刷を行うことができる。また、スキャンによって得られた画像データを蓄積することもできる。
【００２４】
給紙部１０３は、用紙Ｐを収容するカセット３１を複数有し、それら複数のカセット３１に収容された用紙Ｐを用紙搬送部１０４に供給する。この給紙部１０３には、収容された用紙Ｐを引き出すピックアップローラー３２や、用紙Ｐの重送を抑制するための分離ローラー対３３が設けられている。
【００２５】
用紙搬送部１０４は、画像形成装置１００の内部において用紙Ｐを搬送する。具体的に言うと、給紙部１０３から供給された用紙Ｐは、用紙搬送部１０４が搬送することによって、画像形成部１０５および定着部１０６をこの順番で通過する。この用紙搬送部１０４には、用紙Ｐを搬送するための複数の搬送ローラー対４１が設けられている。さらに、用紙Ｐを画像形成部１０５の手前で待機させ、タイミングを合わせて画像形成部１０５に送り出すレジストローラー対４２も設けられている。
【００２６】
画像形成部１０５は、画像データに基づきトナー像を形成し、そのトナー像を用紙Ｐに転写する。画像形成部１０５は、感光体ドラム５１、帯電装置５２、露光装置５３、現像装置５４、転写ローラー５５およびクリーニング装置５６などを含んでいる。
【００２７】
トナー像の形成プロセスおよびトナー像の転写プロセスとしては、まず、感光体ドラム５１を回転駆動させ、その感光体ドラム５１の表面を帯電装置５２で所定電位に帯電させる。また、露光装置５３は、画像データに基づき光ビームＬを出力し、感光体ドラム５１の表面を走査露光する。これにより、感光体ドラム５１の表面に静電潜像を形成する。現像装置５４は、感光体ドラム５１の表面に形成された静電潜像にトナーを供給して現像する。
【００２８】
転写ローラー５５は、感光体ドラム５１の表面に圧接して回転可能となっている。さらに、転写ローラー５５には所定の電圧が印加されている。この状態で、レジストローラー対４２がタイミングを計り、転写ローラー５５と感光体ドラム５１との間に用紙Ｐを進入させる。これによって、感光体ドラム５１の表面のトナー像が用紙Ｐに転写される。そして、トナー像の転写プロセスが終わると、クリーニング装置５６は、感光体ドラム５１の表面に残留するトナーなどを除去する。
【００２９】
定着部１０６は、用紙Ｐに転写されたトナー像を加熱・加圧して定着させる。この定着部１０６は、発熱源を内蔵する定着ローラー６１と、定着ローラー６１に圧接される加圧ローラー６２とを含んでいる。そして、トナー像が転写された用紙Ｐは、定着ローラー６１と加圧ローラー６２との間を通過することで、加熱・加圧される。これにより、用紙Ｐにトナー像が定着され、印刷が完了する。
【００３０】
後処理部１０７は、定着部１０６から印刷済みの用紙Ｐを受け取り、仕分け処理、ステープル処理およびパンチ処理などの後処理を行う。そして、後処理部１０７は、印刷済みの用紙Ｐに対して後処理を施した後、用紙Ｐを排出トレイ７１に排出する。
【００３１】
（画像形成装置のハードウェア構成）
画像形成装置１００は、図３に示すように、主制御部１１０を備える。主制御部１１０は、中央演算処理装置であるＣＰＵ１１１、画像処理部１１２および記憶部１１３などを含む。画像処理部１１２は、画像処理専用のＡＳＩＣやメモリーなどからなっており、画像データに対して各種画像処理（拡大／縮小、濃度変換およびデータ形式変換など）を施す。記憶部１１３は、ＲＯＭ、ＲＡＭおよびＨＤＤなどからなり、たとえば、機能の実行に必要なプログラムおよびデータがＲＯＭに記憶され、それらプログラムおよびデータがＲＡＭに展開される。
【００３２】
主制御部１１０は、原稿搬送部１０２Ａ、画像読取部１０２Ｂ、給紙部１０３、用紙搬送部１０４、画像形成部１０５、定着部１０６および後処理部１０７などと接続される。そして、主制御部１１０は、記憶部１１３に記憶されたプログラムおよびデータに基づき、全体制御、画像処理制御、および、各種回転体を回転させるモーターの駆動制御などを行う。
【００３３】
主制御部１１０には、操作パネル１０１も接続される。操作パネル１０１は、主制御部１１０と接続される表示制御部１５を含む。この表示制御部１５は、ＣＰＵなどからなり、主制御部１１０から指示を受け、操作パネル１０１の表示動作を制御する。たとえば、表示制御部１５は、液晶表示部１２に表示されたソフトキーがタッチパネル部１１を介してユーザーによってタッチされると、タッチパネル部１１の出力に基づきタッチ位置の座標を検知する。すなわち、表示制御部１５は、ユーザーがタッチパネル部１１を介してタッチしたソフトキー（ユーザーが指定したソフトキー）を検知する。この表示制御部１５には、記憶部１６が接続される。そして、タッチパネル部１１の出力とタッチ位置の座標との対応を示すデータは、記憶部１６に記憶される。
【００３４】
また、主制御部１１０は、通信部１２０と接続される。通信部１２０は、たとえば、コンピューター２００（パーソナルコンピューターやサーバーなど）とネットワークを介して通信可能に接続される。これにより、コンピューター２００から送信された画像データに基づき印刷を行うことができ、スキャンによって得られた画像データをコンピューター２００に送信することもできる。また、通信部１２０にモデムなどを内蔵してもよく、この場合、電話回線などのネットワークを介して、ファックス装置３００とファックス通信を行うことができる。
【００３５】
（操作パネルに表示される初期画面）
【００３６】
操作パネル１０１は、主電源が投入されると、図４に示すようなメインメニュー画面ＭＳを初期画面として表示する。メインメニュー画面ＭＳには、複数種の機能のうちから使用する機能の選択指示をユーザーから受け付けるため、複数種の機能にそれぞれ対応する複数のソフトキーＫが配される。
【００３７】
このようなメインメニュー画面ＭＳの表示中に、複数のソフトキーＫのうちのいずれかの表示位置がタッチパネル部１１を介してユーザーによってタッチされたとき、操作パネル１０１は、タッチされた位置に表示していたソフトキーＫをユーザーが指定したと判断する。たとえば、ユーザーは、所望のソフトキーＫの表示位置をタッチした後にタッチを解除する操作（タップ操作）を行うことで、所望のソフトキーＫを指定することができる。その後、操作パネル１０１は、指定のソフトキーＫに対応する機能の設定指示を受け付けるための設定画面を表示する。
【００３８】
具体的には、ソフトキーＫ１の表示位置がタッチパネル部１１を介してユーザーによってタッチ（タップ）されると、操作パネル１０１は、図５に示すように、コピー機能の設定指示を受け付けるための設定画面ＳＣを表示する。コピー機能の設定画面ＳＣには、コピー機能に関する複数の設定項目にそれぞれ対応する複数の設定キーＦＫが配される。図５には、一例として、用紙選択、縮小／拡大、濃度、両面／分割およびページ集約の各設定項目にそれぞれ対応する複数の設定キーＦＫが配された設定画面ＳＣを図示している。複数の設定キーＦＫのそれぞれには、対応する設定項目の現時点の設定値が表記される。そして、操作パネル１０１は、複数の設定キーＦＫのうちのいずれかがタッチパネル部１１を介してユーザーによってタッチされ指定されると、指定の設定キーＦＫに対応する設定項目の設定値を入力するための画面（図示せず）を表示する。これにより、ユーザーは、コピー機能に関する複数の設定項目のそれぞれの現時点の設定値を認識することができるとともに、それら各設定値を変更することもできる。
【００３９】
図４に戻って、ソフトキーＫ２の表示位置がタッチパネル部１１を介してユーザーによってタッチされると、操作パネル１０１は、送信（スキャン）機能の設定指示を受け付けるための設定画面を表示する。この送信（スキャン）機能の設定画面では、スキャンによって得られた画像データなどのデータの送信先（保存先）の設定を行うことができる。なお、画像データなどのデータの送信先の設定方法については、後に詳細に説明する。また、ソフトキーＫ３の表示位置がタッチパネル部１１を介してユーザーによってタッチされると、操作パネル１０１は、ファックス機能の設定指示を受け付けるための設定画面（図示せず）を表示する。このファックス機能の設定画面では、ファックス番号の入力を行うことができる。
【００４０】
また、ソフトキーＫ４〜Ｋ６のうちのいずれかの表示位置がタッチパネル部１１を介してユーザーによってタッチされると、操作パネル１０１は、ボックス機能の設定指示を受け付けるための設定画面（図示せず）を表示する。ボックス機能の設定画面には、たとえば、登録されたボックスを示すフォルダアイコンが配される。なお、複数のボックスが登録されている場合には、複数のボックスをそれぞれ示す複数のフォルダアイコンが設定画面に配される。
【００４１】
そして、操作パネル１０１は、ボックス機能の設定画面を表示することで、ユーザーから所望のボックスの指定を受け付ける。たとえば、操作パネル１０１は、複数のフォルダアイコンのうちのいずれかの表示位置がタッチパネル部１１を介してユーザーによってタッチ（タップ）されると、タッチ位置に表示していたフォルダアイコンに対応するボックスが指定されたと判断する。
【００４２】
ところで、図４に示したメインメニュー画面ＭＳのソフトキーＫ４〜Ｋ６にそれぞれ対応する各ボックス機能のうち、ソフトキーＫ４に対応するボックス機能は、スキャンによって得られた画像データを蓄積したり、蓄積した画像データに基づく印刷を行ったりする機能（ユーザーボックス機能）である。ソフトキーＫ５に対応するボックス機能は、画像データをコンピューター２００から画像形成装置１００に送信して蓄積したり、その蓄積した画像データに基づく印刷を行ったりする機能（ジョブボックス機能）である。ソフトキーＫ６に対応するボックス機能は、通信部１２０が受信したファックスデータを蓄積したり、その蓄積したファックスデータに基づく印刷を行ったりする機能（ファックスボックス機能）である。
【００４３】
また、ソフトキーＫ７の表示位置がタッチパネル部１１を介してユーザーによってタッチされると、操作パネル１０１は、外部メモリーを利用した機能の設定指示を受け付けるための設定画面（図示せず）を表示する。外部メモリーを利用した機能というのは、外部メモリーに保存した画像データに基づく印刷を行ったり、外部メモリーに画像データを保存したりする機能のことである。
【００４４】
なお、ソフトキーＫ８はプログラム機能に対応するソフトキーＫであり、ソフトキーＫ８の表示位置がタッチパネル部１１を介してユーザーによってタッチされると、操作パネル１０１は、登録されたプログラムのうちから呼び出すプログラムの選択指示をユーザーから受け付けるためのプログラム選択画面（図示せず）を表示する。ところで、プログラム機能というのは、コピー機能や送信（スキャン）機能などに関する複数の設定項目のうち、ユーザーによって予め選択された１つ以上の設定項目（設定値）をプログラムとして登録しておく機能である。
【００４５】
（データの送信先の設定方法）
本実施形態では、ユーザーは、画像データなどのデータを所望の送信先に送信することができる。送信先としては、画像形成装置１００とネットワークを介して接続されたコンピューター２００などが挙げられる。すなわち、ユーザーは、スキャンによって得られた画像データをコンピューター２００に送信することができるとともに、ボックスに保存された画像データをコンピューター２００に送信することもできる。
【００４６】
ユーザーは、所望の送信先にデータを送信するとき、図６に示すように、送信先を設定するためのダイアログボックスＤＢ１を液晶表示部１２に表示させる。なお、図示しないが、ダイアログボックスＤＢ１の表示指示を受け付けるソフトキーは、たとえば、送信（スキャン）機能の設定画面に配される。そして、表示制御部１５は、ダイアログボックスＤＢ１の表示指示を受け付けたことを検知すると、ダイアログボックスＤＢ１を液晶表示部１２に表示させる。このとき、液晶表示部１２は、送信（スキャン）機能の設定画面にダイアログボックスＤＢ１を重ねて表示する。
【００４７】
このダイアログボックスＤＢ１には、ネットワーク上に存在するワークグループに付されたワークグループ名を羅列表示したリストＷＬが配される。そして、ユーザーは、まず、所望の送信先が属するワークグループの名称表記欄の表示位置をタッチパネル部１１を介してタッチすることにより、所望の送信先が属するワークグループを指定する。たとえば、指定したワークグループの名称表記欄は表示色が反転する。なお、ダイアログボックスＤＢ１には、リストＷＬのスクロール指示を受け付けるためのスクロールキーＳＫが配される。これにより、ユーザーは、スクロールキーＳＫの表示位置をタッチパネル部１１を介してタッチすることで、リストＷＬの表示ページを切り替えることができる。
【００４８】
ワークグループが指定されると、通信部１２０は、指定されたワークグループ内の端末（送信先候補）にアクセスし、送信先候補の情報（送信先名やパスなど）を取得する。すなわち、通信部１２０は、送信先候補を検索する。この間、表示制御部１５は、たとえば、図７に示すようなダイアログボックスＤＢ２を液晶表示部１２に表示させる。なお、このダイアログボックスＤＢ２には、アクセス中（接続中）である旨のメッセージが表記される。
【００４９】
送信先候補の検索が終わると、表示制御部１５は、図８に示すように、送信先を設定するためのダイアログボックスＤＢ３を液晶表示部１２に表示させる。このダイアログボックスＤＢ３には、検索された送信先候補に付された送信先名を羅列表示したリストＨＬが配される。そして、ユーザーは、所望の送信先の名称表記欄の表示位置をタッチパネル部１１を介してタッチすることにより、所望の送信先を実際の送信先として指定する。たとえば、指定した送信先の名称表記欄は表示色が反転する。また、ダイアログボックスＤＢ３には、リストＨＬのスクロール指示を受け付けるためのスクロールキーＳＫが配される。これにより、ユーザーは、スクロールキーＳＫの表示位置をタッチパネル部１１を介してタッチすることで、リストＨＬの表示ページを切り替えることができる。
【００５０】
ユーザーは、所望の送信先を指定した後、送信（スキャン）機能の実行指示を行う。これにより、ユーザーが指定した送信先に、スキャンによって得られた画像データやボックスに保存された画像データなどのデータが送信される。
【００５１】
（リストに表記する送信先名を絞り込むためのブロック画像）
図８に示したように、ダイアログボックスＤＢ３のリストＨＬに一度に表記可能な送信先名の数は最大で５つである。したがって、ユーザーの所望する送信先に付された送信先名がリストＨＬの１ページ目に表記されない場合がある。この場合、ユーザーは、所望の送信先に付された送信先名を表記したページが表示されるまで、リストＨＬの表示ページを切り替えなければならない。このため、送信先候補が非常に多く存在する場合には、所望の送信先に付された送信先名を見つけるまでに時間がかかり、ユーザーにとっては利便性が悪い。
【００５２】
そこで、本実施形態では、予め定められた数を超える送信先候補が存在する場合、リストＨＬに表記する送信先名の範囲を絞り込むための範囲絞り込み操作を受け付けるようになっている。たとえば、リストＨＬに表記すべき送信先名の数がリストＨＬの１０ページ分に相当する数を超えるとき、リストＨＬに表記する送信先名の範囲を絞り込むための範囲絞り込み操作を受け付ける。
【００５３】
具体的には、表示制御部１５は、予め定められた数を超える送信先候補が存在すれば、図９に示すように、リストＨＬに表記する送信先名の範囲を絞り込むためのブロック画像８０を液晶表示部１２に表示させる。たとえば、ブロック画像８０は、ダイアログボックスＤＢ４に配され、そのダイアログボックスＤＢ４は、ダイアログボックスＤＢ３（リストＨＬ）に重ねて表示される。
【００５４】
ブロック画像８０は、リストＨＬに表記可能な送信先名の範囲（数）を示した画像である。このブロック画像８０は、送信先名の頭文字の種類毎に複数に分類されている。すなわち、ブロック画像８０は、複数のブロック画像ＢＬで構成されている。そして、複数のブロック画像ＢＬのそれぞれには、対応する送信先名の頭文字を視覚的に識別可能に示す識別情報８１が付加されている。識別情報８１というのは、文字画像や数字画像である。たとえば、「Ａ」という文字画像が付加されたブロック画像ＢＬは、リストＨＬに表記可能な送信先名のうち、「Ａ」という文字を頭文字とする送信先名の範囲（数）を示している。また、「１」という数字画像が付加されたブロック画像ＢＬは、リストＨＬに表記可能な送信先名のうち、「１」という数字を頭文字とする送信先名の範囲（数）を示している。
【００５５】
また、複数のブロック画像ＢＬのそれぞれの表示サイズ（たとえば、画面横方向の幅）は、対応する送信先名の数が多いほど大きくなり、対応する送信先名の数が少ないほど小さくなっている。たとえば、「Ａ」という識別情報８１が付加されたブロック画像ＢＬおよび「Ｇ」という識別情報８１が付加されたブロック画像ＢＬに着目すると、「Ａ」という識別情報８１が付加されたブロック画像ＢＬは、「Ｇ」という識別情報８１が付加されたブロック画像ＢＬよりも、表示サイズが小さい（画面横方向の幅が小さい）。したがって、「Ａ」という識別情報８１が付加されたブロック画像ＢＬに対応する送信先名の数は、「Ｇ」という識別情報８１が付加されたブロック画像ＢＬに対応する送信先名の数よりも少ない（「Ａ」という文字を頭文字とする送信先名の数が「Ｇ」という文字を頭文字とする送信先名の数よりも少ない）ということである。
【００５６】
また、複数のブロック画像ＢＬは、所定方向（画面横方向）に連続して帯状に延びる単一の表示領域内に隙間なく一列に並べられている。そして、複数のブロック画像ＢＬのそれぞれの表示形態（たとえば、表示色）は、互いに異ならされている。このように複数のブロック画像ＢＬのそれぞれの表示形態が互いに異なっていることで、互いに隣接するブロック画像ＢＬ間の境目が分かり易くなっている。
【００５７】
（リストに表記する送信先名の範囲を絞り込むための範囲絞り込み操作）
図９に示したブロック画像８０（ダイアログボックスＤＢ４）を液晶表示部１２が表示しているとき、タッチパネル部１１は、ブロック画像８０の表示位置において２点をタッチ（タップ）する操作である範囲絞り込み操作が行われることで、タッチされた２点で挟まれる範囲に含まれる送信先名をリストＨＬに表記する送信先名として指定した旨を受け付ける。
【００５８】
したがって、たとえば、「Ｇ」を頭文字とする送信先名をリストＨＬに表記する送信先名として指定したいユーザーは、図１０に示すように、「Ｇ」に対応するブロック画像ＢＬの左端と右端との２点をタッチすればよい。また、別の例として、「Ｇ」、「Ｈ」および「Ｉ」の各文字を頭文字とする送信先名をリストＨＬに表記する送信先名として指定したいユーザーは、図１１に示すように、「Ｇ」に対応するブロック画像ＢＬの左端と「Ｉ」に対応するブロック画像ＢＬの右端との２点をタッチ（タップ）すればよい。すなわち、「Ｇ」、「Ｈ」および「Ｉ」にそれぞれ対応する３つのブロック画像ＢＬをタッチした２点で挟まれる範囲内に含めればよい。
【００５９】
また、タッチパネル部１１に対して範囲絞り込み操作が行われているとき、液晶表示部１２は、図１０および図１１に示すように、枠画像８２を表示し、現時点で指定されている送信先名の範囲を枠画像８２で囲む。すなわち、図１０に示すように、「Ｇ」に対応するブロック画像ＢＬの左端と右端との２点がタッチされた場合には、「Ｇ」に対応するブロック画像ＢＬが枠画像８２で囲まれる。また、図１１に示すように、「Ｇ」に対応するブロック画像ＢＬの左端と「Ｉ」に対応するブロック画像ＢＬの右端との２点がタッチされた場合には、「Ｇ」、「Ｈ」および「Ｉ」にそれぞれ対応する３つのブロック画像ＢＬがまとめて枠画像８２で囲まれる。なお、図示しないが、枠画像８２を表示するのではなく、指定された送信先名の範囲の表示色を反転させてもよい。さらに、図示しないが、指定された送信先名の数を示す数字画像を表示してもよい。
【００６０】
また、液晶表示部１２は、複数のブロック画像ＢＬと共に、指定された送信先名をリストＨＬに実際に表記する旨を受け付けるための確定キーＤＫを表示する。この確定キーＤＫは、ダイアログボックスＤＢ４に配される。そして、液晶表示部１２は、確定キーＤＫの表示位置をタッチ（タップ）する操作である確定操作がタッチパネル部１１に対して行われると、複数のブロック画像ＢＬ（ダイアログボックスＤＢ４）を非表示とするとともに、範囲絞り込み操作によって指定された送信先名をリストＨＬに表記する。
【００６１】
たとえば、「Ｇ」を頭文字とする送信先名がリストＨＬに表記する送信先名として指定されていれば、液晶表示部１２は、図１２に示すように、「Ｇ」を頭文字とする送信先名をリストＨＬの１ページ目から表記し、他の送信先名はリストＨＬに表記しない。すなわち、リストＨＬの表示ページが切り替わったとしても、「Ｇ」を頭文字とする送信先名以外の送信先名はリストＨＬに表記されない。また、「Ｇ」、「Ｈ」および「Ｉ」の各文字を頭文字とする送信先名がリストＨＬに表記する送信先名として指定されていれば、液晶表示部１２は、「Ｇ」を頭文字とする送信先名、「Ｈ」を頭文字とする送信先名および「Ｉ」を頭文字とする送信先名をこの順番でリストＨＬの１ページ目から表記し、他の送信先名はリストＨＬに表記しない。
【００６２】
ところで、「Ｇ」、「Ｈ」および「Ｉ」の各文字を頭文字とする送信先名をリストＨＬに表記する送信先名として指定する場合には、「Ｇ」、「Ｈ」および「Ｉ」にそれぞれ対応する３つのブロック画像ＢＬが互いに隣接しているので、「Ｇ」、「Ｈ」および「Ｉ」の各文字を頭文字とする送信先名を一括して指定することができる。しかし、たとえば、「Ｇ」および「Ｚ」の各文字を頭文字とする送信先名をリストＨＬに表記する送信先名として指定する場合には、「Ｇ」および「Ｚ」にそれぞれ対応する２つのブロック画像ＢＬが互いに隣接していないので、「Ｇ」および「Ｚ」の各文字を頭文字とする送信先名を一括して指定することができない。言い換えると、「Ｇ」および「Ｚ」の各文字を頭文字とする送信先名をリストＨＬに表記する送信先名として指定するためには、範囲絞り込み操作を２回行わなければならない。
【００６３】
そこで、タッチパネル部１１は、確定操作が行われるまで、範囲絞り込み操作を何回でも受け付けるようになっている。これにより、図１３に示すように、「Ｇ」を頭文字とする送信先名をリストＨＬに表記する送信先名として指定した後、続けて、「Ｚ」を頭文字とする送信先名をリストＨＬに表記する送信先名として指定することができる。この場合には、たとえば、図１４に示すように、「Ｇ」を頭文字とする送信先名（「第１送信先名」に相当）を表記した第１リストＨＬ１、および、「Ｚ」を頭文字とする送信先名（第２送信先名）に相当）を表記した第２リストＨＬ２を別々に表示してもよい。
【００６４】
また、ユーザーは、範囲絞り込み操作を行うときに、指定する送信先名の範囲を任意に変更することができる。たとえば、図１５に示すように、ブロック画像８０の表示位置において２点をタッチした後、２点をタッチしたまま２点の間隔を狭める操作を行うことで、指定される送信先名の範囲が小さくなる。あるいは、図１６に示すように、ブロック画像８０の表示位置において２点をタッチした後、２点をタッチしたまま２点の間隔を広げる操作を行うことで、指定される送信先名の範囲が大きくなる。
【００６５】
（リストに表記する送信先名の範囲を絞り込むときの流れ）
以下に、図１７に示すフローチャートを参照し、リストＨＬに表記する送信先名の範囲を絞り込むときの流れについて説明する。
【００６６】
まず、図１７のフローチャートのスタート時点では、ユーザーが指定したワークグループ内において、データの送信先になり得る送信先候補を通信部１２０が検索しているとする。そして、送信先候補の検索が終了することで、図１７のフローチャートがスタートする。
【００６７】
ステップＳ１において、表示制御部１５は、検索された送信先候補が予め定められた数を超えているか否かを判断する。判断の結果、検索された送信先候補が予め定められた数を超えていれば、ステップＳ２に移行する。
【００６８】
ステップＳ２に移行すると、表示制御部１５は、リストＨＬに表記する送信先名の範囲を絞り込むためのブロック画像８０（複数のブロック画像ＢＬ）を液晶表示部１２に表示させる。すなわち、液晶表示部１２は、ブロック画像８０（複数のブロック画像ＢＬ）および確定キーＤＫを配したダイアログボックスＤＢ４を表示する。
【００６９】
ステップＳ３において、表示制御部１５は、ブロック画像８０の表示位置において２点をタッチする操作（範囲絞り込み操作）がタッチパネル部１１に対して行われたか否かを判断する。判断の結果、範囲絞り込み操作が行われていれば、ステップＳ４に移行し、範囲絞り込み操作が行われていなければ、ステップＳ３の判断を繰り返す。
【００７０】
ステップＳ４に移行すると、表示制御部１５は、確定キーＤＫの表示位置をタッチする操作（確定操作）がタッチパネル部１１に対して行われたか否かを判断する。判断の結果、確定操作が行われていれば、ステップＳ５に移行し、確定操作が行われていなければ、ステップＳ３に移行する。
【００７１】
ステップＳ５に移行すると、表示制御部１５は、範囲絞り込み操作によって指定された送信先名（タッチされた２点で挟まれる範囲に含まれる送信先名）をリストＨＬに表記する送信先名として確定する。そして、ステップＳ６において、表示制御部１５は、液晶表示部１２の表示動作を制御し、範囲絞り込み操作によって指定された送信先名をリストＨＬに表記させる。このとき、液晶表示部１２は、ダイアログボックスＤＢ４を非表示とする。
【００７２】
なお、ステップＳ１において、検索された送信先候補が予め定められた数を超えていない場合には、ステップＳ７に移行する。ステップＳ７に移行すると、表示制御部１５は、検索された送信先候補にそれぞれ付された全ての送信先名をリストＨＬに表記する。
【００７３】
本実施形態では、上記のように、液晶表示部１２は、予め定められた数を超える送信先候補が存在する場合、リストＨＬに表記する送信先名の範囲を絞り込むためのブロック画像８０であり、リストに表記可能な送信先名の範囲を示したブロック画像８０を送信先名の頭文字の種類毎に分類して複数表示する（複数のブロック画像ＢＬを表示する）。また、タッチパネル部１１は、ブロック画像８０の表示位置において２点をタッチする操作である範囲絞り込み操作が行われることにより、タッチされた２点で挟まれる範囲に含まれる送信先名をリストＨＬに表記する送信先名として指定する旨を受け付ける。これにより、ユーザーが所望する送信先に付された送信先名と頭文字が同じ送信先名だけをリストＨＬに表記することができる。したがって、ユーザーからすると、所望の送信先に付された送信先名をリストＨＬから選択して所望の送信先にデータを送信するときに、所望の送信先に付された送信先名を見つけ易くなり、利便性が良い。すなわち、データ送信先の検索作業を行うユーザーの利便性が向上する。
【００７４】
また、ユーザーからすると、予め定められた数を超える送信先候補が存在する場合、すなわち、リストＨＬに表記される送信先名が多くなることに起因して所望の送信先に付された送信先名を見つけるのに時間がかかってしまう恐れがある場合に、自動的に、リストＨＬに表記する送信先名の範囲を絞り込むことが可能な状態になる（リストＨＬに表記する送信先名の範囲を絞り込むためのブロック画像８０が表示される）ので、利便性が良い。そして、リストＨＬに表記する送信先名の範囲を絞り込むことが可能な状態になった後は、ブロック画像８０の表示位置において２点をタッチするという簡単な操作でリストＨＬに表記する送信先名の範囲を絞り込むことができるので、操作性が良い。また、ブロック画像８０はリストＨＬに表記可能な送信先名の範囲を示しており、そのブロック画像８０の表示位置においてタッチした２点で挟まれる範囲の大きさでリストＨＬに表記する送信先名の範囲が決まるので、リストＨＬに表記する送信先名の範囲を絞り込むための操作が直感的で分かり易い。さらに、ブロック画像８０は送信先名の頭文字の種類毎に複数に分類されているので、容易に、所望の送信先に付された送信先名が含まれるように、リストＨＬに表記する送信先名の範囲を絞り込むことができる。また、ブロック画像８０が送信先名の頭文字の種類毎に複数に分類されていれば、互いに異なる文字を頭文字とする２種類以上の送信先名をリストアップするときに便利である。
【００７５】
また、本実施形態では、上記のように、液晶表示部１２は、複数のブロック画像ＢＬのそれぞれに、対応する送信先名の頭文字を視覚的に識別可能に示す識別情報８１を付加する。これにより、ユーザーからすると、複数のブロック画像ＢＬのうちいずれの表示位置において範囲絞り込み操作を行えばよいかが分かり易くなるので、利便性が良い。
【００７６】
また、本実施形態では、上記のように、液晶表示部１２は、複数のブロック画像ＢＬのそれぞれの表示サイズを、対応する送信先名の数が多いほど大きくし、対応する送信先名の数が少ないほど小さくする。これにより、ユーザーからすると、リストＨＬに表記可能な送信先名の数を送信先名の頭文字の種類毎に認識することができ、利便性が良い。
【００７７】
また、本実施形態では、上記のように、液晶表示部１２は、所定方向に連続して延びる単一の表示領域内に複数のブロック画像ＢＬを所定方向に一列に並べて表示する。これにより、ユーザーからすると、範囲絞り込み操作時にブロック画像８０の表示位置の２点をタッチする（タッチした２点で挟まれる範囲に含まれる送信先名をリストＨＬに表記する送信先名として指定する）とき、タッチした２点で挟まれる範囲内に複数のブロック画像ＢＬを含めることができる、すなわち、互いに異なる文字を頭文字とする２種類以上の送信先名をリストＨＬに表記する送信先名として一括して指定することができるので、利便性が良い。
【００７８】
また、本実施形態では、上記のように、液晶表示部１２は、複数のブロック画像ＢＬと共に、指定された送信先名をリストＨＬに表記する旨を受け付けるための確定キーＤＫを表示するとともに、確定キーＤＫの表示位置をタッチする操作である確定操作がタッチパネル部１１に対して行われることで、指定された送信先名をリストＨＬに表記し、タッチパネル部１１は、確定操作が行われるまで、範囲絞り込み操作を何回でも受け付ける。これにより、ユーザーからすると、確定操作を行う前であれば、範囲絞り込み操作を何回でも行うことができるので、利便性が良い。
【００７９】
また、本実施形態では、上記のように、液晶表示部１２は、第１文字を頭文字とする第１送信先名および第１文字とは異なる第２文字を頭文字とする第２送信先名がリストＨＬに表記する送信先名として指定された場合、第１送信先名を表記した第１リストＨＬ１と第２送信先名を表記した第２リストＨＬ２とを別々に表示する。このように、第１リストＨＬ１および第２リストＨＬ２が別々に表示された場合には、ユーザーからすると、所望の送信先に付された送信先名を見つけ易い。
【００８０】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００８１】
１１  タッチパネル部
１２  液晶表示部（表示部）
８０  ブロック画像
８１  識別情報
１００  画像形成装置
１０１  操作パネル（表示入力装置）
１２０  通信部
ＢＬ  ブロック画像
ＤＫ  確定キー
ＨＬ  リスト
ＨＬ１  リスト、第１リスト
ＨＬ２  リスト、第２リスト
【図１】
0005769664.tif 000002
【図２】
0005769664.tif 000003
【図３】
0005769664.tif 000004
【図４】
0005769664.tif 000005
【図５】
0005769664.tif 000006
【図６】
0005769664.tif 000007
【図７】
0005769664.tif 000008
【図８】
0005769664.tif 000009
【図１２】
0005769664.tif 000010
【図１４】
0005769664.tif 000011
【図１７】
0005769664.tif 000012
【図９】
0005769664.tif 000013
【図１０】
0005769664.tif 000014
【図１１】
0005769664.tif 000015
【図１３】
0005769664.tif 000016
【図１５】
0005769664.tif 000017
【図１６】
0005769664.tif 000018